(57)【要約】【課題】ケースの表面側からムーブメントを組み込むことができ、かつ、部品の取り外しも容易な回転ベゼル付時計を提供すること。【解決手段】回転ベゼル付時計１は、ケース本体２と、ケース本体２に着脱可能に取り付けられ、風防部材４を保持するガラス縁１３と、ケース本体２に対して回転可能に設けられる回転ベゼル１０と、を備える。回転ベゼル１０は、ベゼル本体１１と当該ベゼル本体１１に着脱可能に取り付けられる表示板１２とを備える。ケース本体２とガラス縁１３とはそれぞれねじ部を備え、ケース本体２の雌ねじ部２Ａにガラス縁１３の雄ねじ部１３Ａを締め付けるまたは解放することにより、ガラス縁１３は前記ケース本体２に対して着脱可能に取り付けられる。従って、回転ベゼル１０は、ガラス縁１３とケース本体２とによって回転自在に保持される。【選択図】図４
2015108512.tif 000002
【特許請求の範囲】
【請求項１】
ムーブメントを収納するケース本体と、
前記ケース本体に着脱可能に取り付けられ、風防部材を保持するガラス縁と、
前記ケース本体に対して回転可能に設けられる回転ベゼルと、を備え、
前記回転ベゼルは、ベゼル本体と、当該ベゼル本体に着脱可能に取り付けられる表示板と、を備え、
前記ケース本体と前記ガラス縁とはそれぞれねじ部を備え、前記ケース本体のねじ部に前記ガラス縁のねじ部を締め付けるまたは解放することにより、前記ガラス縁は前記ケース本体に対して着脱可能に取り付けられ、
前記ベゼル本体は、前記ガラス縁と前記ケース本体とによって回転自在に保持されることを特徴とする回転ベゼル付時計。
【請求項２】
請求項１に記載の回転ベゼル付時計において、
前記ベゼル本体は、前記ガラス縁の外周面に沿って配置され、
前記ガラス縁の外周面と前記ベゼル本体の内周面との間に配置されるパッキンを備えることを特徴とする回転ベゼル付時計。
【請求項３】
請求項１または請求項２に記載の回転ベゼル付時計において、
前記ケース本体は、前記ベゼル本体と対向する面に取り付けられるバネ部材を備え、
前記ベゼル本体は、当該ベゼル本体の周方向に沿って配置されて前記バネ部材が係合する複数の溝部を備えることを特徴とする回転ベゼル付時計。
【請求項４】
請求項１から請求項３のいずれかに記載の回転ベゼル付時計において、
前記ベゼル本体は、一方向にのみ回転可能であり、
前記ガラス縁を前記ケース本体に対して前記一方向に回転させた場合に、前記ガラス縁のねじ部が前記ケース本体のねじ部に対して締め付けられることを特徴とする回転ベゼル付時計。
【請求項５】
請求項１から請求項４のいずれかに記載の回転ベゼル付時計において、
前記表示板は、前記ベゼル本体に装着された際に、前記ガラス縁を被覆するように形成され、
前記ガラス縁は、当該ガラス縁の表面に複数の凹部を備えることを特徴とする回転ベゼル付時計。
【請求項６】
請求項１から請求項５のいずれかに記載の回転ベゼル付時計において、
前記ケース本体と前記ガラス縁とは、それぞれ対向する対向面を備え、
前記それぞれの対向面のいずれか一方に周方向に沿って形成される凹溝部を備え、
前記凹溝部に防水機能を有する防水パッキンを備えることを特徴とする回転ベゼル付時計。
【発明の詳細な説明】
【技術分野】
【０００１】
本発明は、回転ベゼルを有する回転ベゼル付時計に関する。
【背景技術】
【０００２】
従来、ダイバーズウオッチやスポーツウオッチなど回転ベゼルを有する回転ベゼル付時計が知られている。回転ベゼルは、カバーガラスの周囲のベゼルを回転可能に装着したものであり、ベゼルの表面には、時計の指針に対応した目盛りなどが表示される。このような回転ベゼルでは、適宜回転させて目盛りと指針との関係を設定することで、ある時点からの経過時間等を容易に読み取る等の機能を得ることができる。
【０００３】
このような回転ベゼル付時計において、各部品をメンテナンスしやすいように回転ベゼル等を容易に取り外すことができる時計装置が提案されている（特許文献１）。
特許文献１に記載の時計装置は、ケース本体と、環状のベゼル本体と、ベゼル本体をケース本体との間に保持する保持リングと、ベゼル本体に支持されて保持リングを隠蔽する環状のカバー部材とを備えている。すなわち、ベゼル本体とカバー部材との二部材により回転ベゼルが構成される。これにより、ベゼル本体は、保持リングによりケース本体との間に回転自在に保持される。
【先行技術文献】
【特許文献】
【０００４】
【特許文献１】特開２００９−１８６２７９号公報
【発明の概要】
【発明が解決しようとする課題】
【０００５】
ところで、特許文献１の時計装置では、ケース本体の裏面側に裏蓋が設けられているため、ムーブメントをケース本体に取り付ける際には、裏蓋を取り外し、ケース本体の裏面側の開口からムーブメントをケース本体内に組み込むことができる。
これに対し、近年では、ダイバーズウオッチ等、防水性を高めるためにケース裏面に開口を設けない形状、すなわち、ワンピース型のケースが提案されている。このようなワンピース型のケースにおけるムーブメントの取り付けまたは取り外しは、ケースの上方に設けられた開口から行う必要がある。すなわち、ケースの上方からムーブメントを組み込むことができる回転ベゼル付時計が求められている。
また、ムーブメント、回転ベゼル、カバーガラス等の部品の故障や破損があった場合に、これらの部品を取り換えるアフターサービスが提供されている。このため、回転ベゼル付時計を構成する各種部品を容易に取り外すことができる回転ベゼル付時計が求められている。
【０００６】
本発明は、ケースの表面側からムーブメントを組み込むことができ、かつ、部品の取り外しも容易な回転ベゼル付時計を提供することを目的とする。
【課題を解決するための手段】
【０００７】
本発明の回転ベゼル付時計は、ムーブメントを収納するケース本体と、前記ケース本体に着脱可能に取り付けられ、風防部材を保持するガラス縁と、前記ケース本体に対して回転可能に設けられる回転ベゼルと、を備え、前記回転ベゼルは、ベゼル本体と、当該ベゼル本体に着脱可能に取り付けられる表示板と、を備え、前記ケース本体と前記ガラス縁とはそれぞれねじ部を備え、前記ケース本体のねじ部に前記ガラス縁のねじ部を締め付けるまたは解放することにより、前記ガラス縁は前記ケース本体に対して着脱可能に取り付けられ、前記ベゼル本体は、前記ガラス縁と前記ケース本体とによって回転自在に保持されることを特徴とする。
【０００８】
本発明では、ムーブメントを収納するケース本体と風防部材を保持するガラス縁とにそれぞれねじ部が設けられる。例えば、前記ケース本体の内周面に雌ねじ部が設けられ、前記ガラス縁の外周面に雄ねじ部が設けられる。そして、ケース本体のねじ部にガラス縁のねじ部を締め付けるまたは解放することにより、ガラス縁がケース本体に対して着脱可能となる。また、ベゼル本体と表示板とによって回転ベゼルが構成され、表示板はベゼル本体に対して着脱可能に取り付けられている。そして、ガラス縁とケース本体とによって、ベゼル本体の軸方向の移動が規制されることで、ベゼル本体つまり回転ベゼルが回転可能に保持されている。
このため、回転ベゼルの表示板でガラス縁が被覆されている場合でも、表示板をベゼル本体から取り外してガラス縁を露出させ、さらに、ケース本体のねじ部に対してガラス縁のねじ部を緩めて解放することで、ケース本体からガラス縁および風防部材を容易に取り外すことができる。そして、ガラス縁を取り外すことで、ベゼル本体もケース本体から容易に取り外すことができ、ムーブメントも容易に取り外すことができる。
従って、外装部品やムーブメントが故障、破損した際にも、これらの部品を容易に交換したり、補修できる。さらに、各部品の洗浄等のメンテナンス作業も容易に行うことができる。
また、回転ベゼル、ガラス縁および風防部材をケース本体から容易に取り外せるので、これらを取り外した状態で、ムーブメントをケース本体のガラス縁側（表面側）の開口からケース本体内に組みつけることができる。これにより、ムーブメントをケース本体の裏面側から組み込む必要がないので、ワンピース型のケースを備える時計にも適用でき、かつ、防水性をさらに高めることができる。さらに、ムーブメントをケース本体の表面側から組み込むことができるので、回転ベゼル付時計の組み立て時にケース本体を裏返す必要が無く、組み立て性も向上できる。
【０００９】
本発明において、前記ベゼル本体は、前記ガラス縁の外周面に沿って配置され、前記ガラス縁の外周面と前記ベゼル本体の内周面との間に配置されるパッキンを備えることが好ましい。
本発明では、ガラス縁の外周面とベゼル本体の内周面との間にパッキンが備えられているので、ガラス縁とベゼル本体とのがたつきを抑制することができる。ここで、ベゼル本体をスムーズに回転させるために、ベゼル本体とガラス縁との間には隙間を設けることが好ましい。ただし、隙間が存在すると、ベゼル本体ががたつくことになる。
本発明では、この隙間にパッキンを備えることで、ベゼル本体とガラス縁との接触面積を少なくでき、かつ、パッキンの弾性力によりがたつきを抑制する。これにより、ベゼル本体の動きを阻害することなく、かつ、ベゼル本体を容易に回転させることができる。
【００１０】
本発明において、前記ケース本体は、前記ベゼル本体と対向する面に取り付けられるバネ部材を備え、前記ベゼル本体は、当該ベゼル本体の周方向に沿って配置されて前記バネ部材が係合する複数の溝部を備えることが好ましい。
本発明では、ベゼル本体と対向するケース本体の面にバネ部材が取り付けられ、ベゼル本体にはバネ部材が係合する複数の溝部がベゼル本体の周方向に沿って設けられているので、ベゼル本体が所定量回動すると、複数の溝部のいずれか１つにバネ部材が係合する。これにより、ベゼル本体をバネ部材によって、複数の溝部が設けられた各位置で保持することができる。例えば、ベゼル本体に設けられた表示板の表示面が、経過時間を示すための目盛り（具体的には、０〜６０分）を表示している場合、ベゼル本体に取り付けられた表示板の表示面に表示された「０」の目盛りを、指針の分針が指示する位置（基準位置）に合わせ、その位置でベゼル本体を保持することで、基準位置（基準時間）からの経過時間等を容易に読み取ることができる。
【００１１】
本発明の回転ベゼル付時計において、前記ベゼル本体は、一方向にのみ回転可能であり、前記ガラス縁を前記ケース本体に対して前記一方向に回転させた場合に、前記ガラス縁のねじ部が前記ケース本体のねじ部に対して締め付けられることが好ましい。
本発明では、ベゼル本体の回転方向と同方向にガラス縁を回転させた場合に、ガラス縁のねじ部がケース本体のねじ部に対して締めつけられる。従って、回転ベゼル（ベゼル本体）の回転力がガラス縁に伝わったとしても、ガラス縁のねじ部がケース本体のねじ部に対してより締め付けられるので、ケース本体とガラス縁とをより強固に固定させることができる。従って、回転ベゼルの回転操作によって、ガラス縁がケース本体から外れることを確実に防止できる。
【００１２】
本発明の回転ベゼル付時計において、前記表示板は、前記ベゼル本体に装着された際に、前記ガラス縁を被覆するように形成され、前記ガラス縁は、当該ガラス縁の表面に複数の凹部を備えることが好ましい。
本発明では、表示板がベゼル本体に装着された際にガラス縁を被覆するように形成されているので、ガラス縁が外部から視認されることがない。このため、当該回転ベゼル付時計のデザイン性を向上させることができる。
また、ガラス縁の表面に複数の凹部を備えているので、これらの複数の凹部に係合する治具を嵌め込み、回動させることによりガラス縁のねじ部をケース本体のねじ部に対して締め付ける、または、解放させることができる。さらに、ガラス縁が表示板で被覆されているので、ガラス縁に直接外力が加わって回転することを防止できる。
これにより、表示板をベゼル本体から取り外してガラス縁の表面を露出させた場合には、ガラス縁をケース本体に対して容易に着脱することができる。一方で、表示板でガラス縁を被覆していれば、ガラス縁のケース本体に対する着脱を確実に防止できる。
【００１３】
本発明の回転ベゼル付時計において、前記ケース本体と前記ガラス縁とは、それぞれ対向する対向面を備え、前記それぞれの対向面のいずれか一方に周方向に沿って形成される凹溝部を備え、前記凹溝部に防水機能を有する防水パッキンを備えることが好ましい。
【００１４】
本発明では、ケース本体の対向面とガラス縁側の対向面とのいずれか一方に設けられた凹溝部に防水機能を有する防水パッキンを備えているので、当該ケース本体に対してガラス縁が固定されている際に、当該ケース本体とガラス縁との間からケース本体内に液体が浸入することを防止できる。このため、回転ベゼル付時計をダイバーズウオッチとして用いる場合、例えば水深２００ｍまでの防水性能を確保することができる。
【図面の簡単な説明】
【００１５】
【図１】本実施形態に係る回転ベゼル付時計を示す平面図。
【図２】本実施形態の回転ベゼル付時計の内部構造を示す断面図。
【図３】本実施形態の回転ベゼル付時計を構成する外装部品およびケースを示す分解斜視図。
【図４】本実施形態の回転ベゼル付時計のガラス縁部分の拡大断面図。
【図５】本実施形態の回転ベゼル付時計の分解断面図。
【発明を実施するための形態】
【００１６】
以下、本発明の回転ベゼル付時計の一実施形態である回転ベゼル付時計について、図面に基づいて説明する。
【００１７】
［回転ベゼル付時計の概略構成］
図１は、本実施形態の回転ベゼル付時計の概略を示す図である。図２は、本実施形態の回転ベゼル付時計の内部構造を示す断面図である。図３は、本実施形態の回転ベゼル付時計１の外装部品を示す分解斜視図である。
回転ベゼル付時計１は、図１〜図３に示すように、扁平な円筒状のケース本体（胴）２を備えている。
ケース本体２の内部には、文字板３が設置され、この文字板３を覆うように本発明の風防部材であるカバーガラス４が設置されている。文字板３には秒針、分針、時針を備えた指針５が設置され、カバーガラス４を透して時計の表面側から時刻表示を視認できるようになっている。
【００１８】
ケース本体２の内部には、指針５を駆動するムーブメント５０が収納されている。ムーブメント５０は、指針５を駆動するステップモータおよび輪列を備えるとともに、ステップモータの駆動を制御する制御回路基板を備えている。
ケース本体２の側面には、ムーブメント５０および指針５の調整や設定を行うためのりゅうず６が配置される。なお、りゅうず６に隣接してボタン類が設置されてもよい。
【００１９】
［回転ベゼル付時計の外装部品］
回転ベゼル付時計１は、ムーブメント５０を収納する外装部品として、ケース本体２と、カバーガラス４と、裏蓋７と、回転ベゼル１０と、ガラス縁１３とを備える。これらの外装部品は、いずれもステンレス鋼などの金属材料で形成されている。
【００２０】
図４は、本実施形態の回転ベゼル付時計のガラス縁部分の拡大断面図である。図５は、本実施形態の回転ベゼル付時計のガラス縁部分を拡大した分解断面図である。
本実施形態のケース本体２およびケース本体２に取り付けられるベゼル本体１１、表示板１２、およびガラス縁１３について、図４および図５を用いて、より具体的に説明する。
【００２１】
［ケース本体］
ケース本体２は、略円筒状に形成され、その内周面の上端部（時計表面側）には雌ねじ部２Ａが形成され、下端部（時計裏面側）には雌ねじ部２Ｂが形成されている。雌ねじ部２Ｂには、裏蓋７に形成される雄ねじ部７Ａがねじ込まれている。このため、裏蓋７はケース本体２に対して着脱可能に取り付けられている。
【００２２】
ケース本体２の上面２１、すなわちベゼル本体１１に対向する対向面には、凹溝部２４が周方向に連続して設けられている。凹溝部２４の底面には、板バネ部材１７（バネ部材）が取り付けられている。板バネ部材１７には、下方に突出する突起部１７Ａが形成されている。そして、突起部１７Ａを凹溝部２４に底面に形成された嵌合孔に差し込むことで、板バネ部材１７は凹溝部２４に取り付けられている。
【００２３】
ケース本体２の上面２１の外側縁には、ベゼル本体１１側に突出する突出部２３が周方向に連続して形成されている。突出部２３は、凹溝部２４の外周側に設けられており、凹溝部２４に取り付けられる板バネ部材１７が外部に露出することを防止して保護している。
ケース本体２の上面２１の凹溝部２４の内周側には、凹溝部２５が周方向に連続して形成されている。また、ケース本体２の下面２２には、凹溝部２５と同心円で同径の凹溝部２６が形成されている。
凹溝部２５，２６には、合成樹脂などの弾性部材で形成された防水機能を有する防水パッキン１６Ａ，１６Ｂが配置される。凹溝部２５，２６は、それぞれ同一形状であり、防水パッキン１６Ａ，１６Ｂもそれぞれ同一種類の部品を用いることができる。
【００２４】
［ガラス縁］
ガラス縁１３は、サファイアガラス等で形成されたカバーガラス４を保持するものである。すなわち、ガラス縁１３は、円環状に形成され、カバーガラス４の外周縁に沿って配置されている。
ガラス縁１３は、図４に示すように、略円筒状の筒状部１３０と、筒状部１３０の下面から裏蓋７側に突出された突出部１３１と、筒状部１３０の内周面から突出された支持部１３２と、筒状部１３０の外周面から突出された保持部１３４とを備えている。
【００２５】
筒状部１３０の内周面および前記支持部１３２の上面で、断面略Ｌ字状の係合段部１３Ｃが形成されている。係合段部１３Ｃには、リング状のプラスチックパッキン１４１が配置され、このプラスチックパッキン１４１の内周側に前記カバーガラス４が圧入されている。すなわち、カバーガラス４と筒状部１３０との間にプラスチックパッキン１４１が圧入されることで、ガラス縁１３に対してカバーガラス４が固定され、かつ、防水性も確保される。
【００２６】
突出部１３１の外周面には雄ねじ部１３Ａが形成されている。ガラス縁１３の雄ねじ部１３Ａを、前述したケース本体２の雌ねじ部２Ａにねじ込むことで、ガラス縁１３およびカバーガラス４が、ケース本体２に着脱可能に取り付けられている。なお、雄ねじ部１３Ａおよび雌ねじ部２Ａは左ねじであり、ケース本体２に対してガラス縁１３を反時計方向に回すとねじが締め付けられ、時計方向に回すとねじが緩むように構成されている。
【００２７】
保持部１３４は、後述するように、ベゼル本体１１の表面側に突出して位置し、ベゼル本体１１が時計表面側に移動することを規制する。すなわち、保持部１３４は、ベゼル本体１１を時計厚さ方向（ケース本体２の軸方向）に位置決めしている。
【００２８】
筒状部１３０の外周面には、凹溝部１３Ｂが形成されている。凹溝部１３Ｂには、合成樹脂やゴム等の弾性部材で形成されたパッキン１５が配置されている。すなわち、パッキン１５は、ガラス縁１３の筒状部１３０の外周面（凹溝部１３Ｂ）とベゼル本体１１の内周面との間に配置され、ガラス縁１３に対するベゼル本体１１のがたつきを抑制する。
【００２９】
また、筒状部１３０の上面（ガラス縁１３の表面）には、図３にも示すように、複数の凹部１３５が形成されている。そして、当該凹部１３５に専用の治具を装着し、ガラス縁１３を回転させることで、ガラス縁１３の雄ねじ部１３Ａをケース本体２の雌ねじ部２Ａに締め付けたり、緩めたりすることができるようになっている。
【００３０】
［回転ベゼル］
回転ベゼル１０は、カバーガラス４およびガラス縁１３の周囲に配置され、ケース本体２に対して回転自在に設けられている。
この回転ベゼル１０は、円環状（リング状）に形成されたベゼル本体１１と、円環状に形成された表示板１２とを備えて構成される。
【００３１】
［ベゼル本体］
ベゼル本体１１は、金属材料で形成された円環状の部材であり、外周には周方向に配列された凹凸を有する操作部１１Ａが形成されている。
ベゼル本体１１は、図４に示すように、ケース本体２の上面２１に対向し、かつ、ガラス縁１３の外周面（具体的には、筒状部１３０の外周面）に沿って配置される。
【００３２】
ベゼル本体１１の内周面には、内側に突出する突出部１１１が設けられている。そして、突出部１１１の表面と、突出部１１１の外周側から立ち上がる立上り面とで断面略Ｌ字状の係合段部１１Ｃが形成されている。
ベゼル本体１１の突出部１１１の裏面には、複数の溝部１１Ｄが周方向に沿って配列されている。前記板バネ部材１７の先端は、前記複数の溝部１１Ｄのいずれかの溝部１１Ｄに係合し、ベゼル本体１１の位置を維持する。
この際、板バネ部材１７は、ケース本体２に対して、ベゼル本体１１を表面側に押圧する機能を有し、板バネ部材１７の先端部がベゼル本体１１に設けられる複数の溝部１１Ｄのいずれかに係合することにより、ベゼル本体１１をガラス縁１３の保持部１３４に当接させて保持している。また、板バネ部材１７の先端部は、凹溝部２４の底面に対して斜め上方に向かって傾斜されており、この先端部が前記溝部１１Ｄに係合していることで、ベゼル本体１１は一方向（時計表面側から見て反時計方向）のみに回転される。
具体的には、板バネ部材１７は、時計表面側から見た平面視では、凹溝部２４に沿って湾曲しており、時計側面側から見た側面視では、凹溝部２４に沿った方向の一端が凹溝部２４の底面から斜め上方に湾曲されている。この板バネ部材１７の一端（先端）がベゼル本体１１の裏面に当接し、溝部１１Ｄに対して斜め方向に係合する。このため、回転ベゼル１０は、板バネ部材１７の一端に溝部１１Ｄの側面が当接する方向には板バネ部材１７が突っ張るために回転しないが、逆方向には板バネ部材１７が撓んで溝部１１Ｄから外れるため回転可能である。
【００３３】
［表示板］
表示板１２は、金属材料で形成された円環状の部材であり、回転ベゼル１０の表面を構成する。表示板１２の表面である表示面１２０には、凹部１２１が形成され、当該凹部１２１には、ルミブライト性の蛍光塗料が塗布され、開始時間を設定するためのマーク１０Ａが固定されている。
【００３４】
表示板１２の裏面側には、前記係合段部１１Ｃに係合する係合突起１２２（図４参照）が形成されている。
また、表示面１２０の外周縁１２３は、表示板１２をベゼル本体１１に取り付けられた際に、ベゼル本体１１に当接する。さらに、表示板１２は、その内周面１２４がカバーガラス４の外周近傍に位置するように形成されている。したがって、前述したガラス縁１３は、表示板１２によって被覆され、外部に対して隠蔽することができる。
【００３５】
係合突起１２２は、周方向に連続したリブであり、その外周面には、プラスチックパッキン１４２が装着される。すなわち、表示板１２の係合突起１２２を、プラスチックパッキン１４２を介して係合段部１１Ｃの内側に嵌め込んで係合させることで、表示板１２はベゼル本体１１に固定される。
また、表示板１２の外周の一部には、ヘラを差し込んでこじ開けてベゼル本体１１から取り外すための凹部が形成されている。
これにより、ベゼル本体１１に対して表示板１２が着脱自在に取り付けられる。すなわち、表示板１２とベゼル本体１１とを係合させて一体化させることにより、ケース本体２に対して回転自在な回転ベゼル１０が構成される。
【００３６】
以上のような構成により、回転ベゼル１０において、ベゼル本体１１の操作部１１Ａを使用者が持って回転させることにより、表示板１２を含む回転ベゼル１０を一体として回転させることができる。
このようにして回転ベゼル１０をケース本体２に対して回転させた際には、板バネ部材１７が弾性変形して係合していた溝部１１Ｄから離脱し、次の溝部１１Ｄに係合する。これらにより、回転ベゼル１０の回転に伴って操作時のクリック感が得られるとともに、複数の溝部１１Ｄが形成された位置で回転ベゼル１０が保持される。
【００３７】
［回転ベゼル付時計の組み立て手順］
本実施形態においては、次の手順で回転ベゼル付時計１を組み立てることができる。
まず、外装部品を組み付ける前、すなわち、ベゼル本体１１、表示板１２、ガラス縁１３が取り外された状態で、ケース本体２の表面側、すなわちガラス縁側の開口からムーブメント５０、文字板３、指針５を組み込む。また、ガラス縁１３にはカバーガラス４を固定しておく。
そして、図５に示すように、ケース本体２の凹溝部２４に板バネ部材１７を取り付け、さらに防水パッキン１６Ａを配置する。そして、ケース本体２に対し、表面側からベゼル本体１１を近接させ、ケース本体２の上面２１に配置する。具体的には、ベゼル本体１１の裏面に設けられた複数の溝部１１Ｄのいずれかに、板バネ部材１７の先端部が嵌まり込む位置に、ベゼル本体１１を配置する。
【００３８】
そして、ガラス縁１３には、カバーガラス４が固定され、かつ、凹溝部１３Ｂにパッキン１５が装着される。そして、カバーガラス４及びパッキン１５が装着された状態のガラス縁１３をケース本体２に対して上方から近接させる。なお、前記ベゼル本体１１を、ガラス縁１３とともにケース本体２側に近接させてもよい。
そして、ガラス縁１３の複数の凹部１３５に専用の治具を取り付けて、当該ガラス縁１３をケース本体２に対して回転させる。これにより、ガラス縁１３の雄ねじ部１３Ａをケース本体２の雌ねじ部２Ａに螺合させ、更にねじ込んでいく。これにより、ガラス縁１３は、ケース本体２にねじ込まれ、ケース本体２の上面２１とガラス縁１３の筒状部１３０の裏面とは互いに近づく。これにより、ガラス縁１３の保持部１３４と、ケース本体２との間に、ベゼル本体１１の突出部１１１が挟まれ、ベゼル本体１１が回転自在に保持される。
【００３９】
ここで、回転ベゼル１０は、板バネ部材１７の形状により異なるが、基本的に一方向にのみ回転可能となっている。そして、本実施形態では、ガラス縁１３を回転ベゼル１０が回転可能な一方向に回転させると、雄ねじ部１３Ａと雌ねじ部２Ａとがより締め付けられる（螺合する）。すなわち、回転ベゼル１０の回転方向と同方向にガラス縁１３を回転させることにより、ガラス縁１３とケース本体２とがより強固に固定されるので、回転ベゼル１０の回転力によりガラス縁１３とケース本体２との締め付けが解放されないようになっている。
【００４０】
このようにして、ガラス縁１３がケース本体２に対して固定された後、プラスチックパッキン１４２が取り付けられた表示板１２をベゼル本体１１に被せ、係合突起１２２をベゼル本体１１の係合段部１１Ｃの内側に嵌め込む。これにより、表示板１２がベゼル本体１１に支持され、一体化して回転ベゼル１０となる。
【００４１】
［回転ベゼル付時計の分解手順］
本実施形態においては、次の手順で回転ベゼル付時計１の分解を行うことができる。
先ず、表示板１２をヘラなどの治具を用いてベゼル本体１１から取り外す。すると、ガラス縁１３が外部に露出するため、ガラス縁１３に設けられた複数の凹部１３５に専用の治具を取り付けて、当該ガラス縁１３をケース本体２に対して取り付け方向と逆方向に回転させる。これにより、ガラス縁１３の雄ねじ部１３Ａおよびケース本体２の雌ねじ部２Ａを緩めてガラス縁１３をケース本体２から取り外すことができる。ガラス縁１３がケース本体２から取り外されると、ベゼル本体１１の保持が解除されるため、ベゼル本体１１を時計表面側に移動することで、ケース本体２から取り外すことができる。
回転ベゼル付時計１を分解した後は、各部品を清掃したり、部品を交換したり、前述の組立手順を再度行うことで回転ベゼル付時計１を組み立てることができる。
【００４２】
［回転ベゼル付時計の作用効果］
このような本実施形態によれば、以下の効果を得ることができる。
本実施形態では、ムーブメント５０を収納するケース本体２と、カバーガラス４を保持するガラス縁１３とにそれぞれ雌ねじ部２Ａ、雄ねじ部１３Ａが設けられ、雌ねじ部２Ａと雄ねじ部１３Ａとの締め付けまたは解放によりガラス縁１３がケース本体２に対して着脱可能となる。
また、ベゼル本体１１は、ケース本体２およびガラス縁１３で保持されているので、ケース本体２からガラス縁１３を取り外せば、ベゼル本体１１も取り外すことができる。すなわち、表示板１２をベゼル本体１１から取り外し、ガラス縁１３の雄ねじ部１３Ａを緩めてケース本体２から取り外すことで、外装部品を分解でき、かつ、ムーブメント５０も容易に取り外すことができる。このため、回転ベゼル付時計１のメンテナンス作業を容易に行うことができる。さらに、ムーブメント５０をケース本体２の表面側から組み込むことができるので、回転ベゼル付時計１の組立時にケース本体２を裏返す必要が無く、組立性も向上できる。
【００４３】
本実施形態では、ガラス縁１３の外周面に設けられた凹溝部１３Ｂとベゼル本体１１の内周面との間にパッキン１５が備えられているので、ガラス縁１３とベゼル本体１１とのがたつきを抑制することができる。すなわち、回転ベゼル１０（ベゼル本体１１）とガラス縁１３との間の隙間にパッキン１５を備えることで、ベゼル本体１１とガラス縁１３との接触面積を少なくでき、かつ、パッキン１５の弾性力によりがたつきを抑制することができる。これにより、ベゼル本体１１の動きを阻害することなく、かつ、容易にベゼル本体１１をケース本体２から取り外すことができる。
【００４４】
本実施形態では、ケース本体２の上面２１の凹溝部２４に板バネ部材１７を取り付け、ベゼル本体１１の裏面に板バネ部材１７の先端が係合する複数の溝部１１Ｄを形成したので、クリック感を得ながら回転ベゼル１０を所定角度毎に回転できる。また、板バネ部材１７の先端を溝部１１Ｄに対して斜め方向から係合させているので、ベゼル本体１１を一方向のみに回転させることができる。
【００４５】
本実施形態では、回転ベゼル１０の回転可能な一方向と同方向に回転する場合に、雄ねじ部１３Ａと雌ねじ部２Ａとが締めつけられるので、回転ベゼル１０を回転させることにより、ケース本体２とガラス縁１３との締め付けを解放させることを防止することができる。すなわち、回転ベゼル１０の回転力がガラス縁１３に伝わったとしても、むしろ回転ベゼル１０の回転力によってケース本体２の雌ねじ部２Ａとガラス縁１３の雄ねじ部１３Ａとがより締め付けられることにより、ケース本体２とガラス縁１３とをより強固に固定させることできる。
【００４６】
本実施形態では、表示板１２がベゼル本体１１に装着された際に、ガラス縁１３を被覆するように形成されているので、ガラス縁１３が外部から視認されることがない。このため、当該回転ベゼル付時計１のデザイン性を向上させることができる。また、ガラス縁１３の上面に複数の凹部１３５を備えているので、例えば、これらの複数の凹部１３５に係合する専用の治具を嵌め込み、回動させることによりケース本体２およびガラス縁１３の雌ねじ部２Ａおよび雄ねじ部１３Ａを締め付け、または、解放することができる。これにより、ガラス縁１３をケース本体２から容易に取り外すことができるとともに、ガラス縁１３をケース本体２に容易に取り付けることができる。
【００４７】
本実施形態では、ケース本体２の上面２１に設けられた凹溝部２５と、ガラス縁１３との間に防水パッキン１６Ａを設けたので、ケース本体２およびガラス縁１３間から水が浸入することを防止できる。また、ケース本体２の下面２２に設けられた凹溝部２６と、裏蓋７との間にも防水パッキン１６Ｂを設けたので、ケース本体２および裏蓋７間から水が浸入することを防止できる。
このため、例えば、回転ベゼル付時計１をダイバーズウオッチとして用いる場合に、水深２００ｍまでの防水性能を確保できる。その上、凹溝部２５および凹溝部２６を同心円かつ同径に形成したので、同一種類の防水パッキン１６Ａ，１６Ｂを用いることができ、コストを低減しながら、各防水パッキン１６Ａ，１６Ｂ部分の防水性能を同一に維持できる。
【００４８】
［変形例］
なお、本発明は前述の実施形態に限定されるものではなく、本発明の目的を達成できる範囲での変形、改良等は本発明に含まれるものである。
本発明の回転ベゼル付時計は、ダイバーズウオッチに限らず、回転ベゼルを有する腕時計に適用できる。例えば、いわゆるワールドタイム機能を備えた時計では、世界のタイムゾーンの代表都市名をベゼル等文字板の周囲に表示することがあり、この表示に本発明の回転ベゼルを適用してもよい。また、クロノグラフ時計では、航空計測用の円形計算尺付き回転ベゼルを適用してもよい。さらに、アウトドア時計では、簡易方位計付き回転ベゼルを適用してもよい。なお、これらの場合は、回転ベゼルを両方向に回転可能に設けてもよい。
また、本発明は腕時計に限らず、回転ベゼルを備える各種の時計に適用することができる。
【００４９】
前記実施形態において、回転ベゼル１０の回転可能な一方向と同方向にガラス縁１３を回転させた際に雄ねじ部１３Ａとケース本体２の雌ねじ部２Ａとが締め付けられることとしたが、これに限られない。例えば、回転ベゼル１０が両方向に回転可能な場合、それぞれのねじ部２Ａ，１３Ａのねじ切り加工の方向は、いずれの方向であってもよい。
【００５０】
表示板１２をベゼル本体１１に係合する構造は、前記実施形態のような係合突起１２２、係合段部１１Ｃ、プラスチックパッキン１４２を用いたものに限らない。
例えば、表示板１２の裏面に複数のテーパーピンを形成しておき、対向するベゼル本体１１には各ピンよりやや小径の孔を形成しておき、これらを互いに嵌め合わせるようにした構造などが適宜採用できる。
前記実施形態において、板バネ部材１７、プラスチックパッキン１４１，１４２は、それぞれ既存の技術により形成すればよく、その配置や数等は適宜変更することができる。例えば、前記実施形態において、バネ部材として板バネ部材１７を用いることとしたが、バネ部材は、板バネに限られず、リングバネ、クリックバネ等であってもよい。機能上必要でない場合には、これらは適宜省略してもよい。
【００５１】
前記実施形態において、ムーブメント５０は、ケース本体２のガラス縁１３側の開口から組みつけられることとしたが、これに限られない。例えば、裏蓋７側から組みつけられるようにしてもよい。これによれば、例えば、アフターサービスにおいて、裏蓋７およびムーブメント５０のみの交換を希望する場合に、裏蓋７の雄ねじ部７Ａとケース本体２の雌ねじ部２Ｂとを緩めて解放するのみで交換作業が終了するので、より効率的にアフターサービスを実施することができる。
【００５２】
前記実施形態の回転ベゼル付時計１は、ケース本体２および裏蓋７を備えていたが、ケース本体２および裏蓋７が一体化されたワンピース型の外装ケースを有するものでもよい。すなわち、本発明は、ケース本体２に対して、回転ベゼル１０、カバーガラス４を保持したガラス縁１３を取り外すことで、ケース本体２の表面側からムーブメント５０を組み込むことができるので、ワンピース型のケースを備える時計に適用できる。このワンピース型のケースを用いれば、防水性能をより一層向上できる。
【符号の説明】
【００５３】
１…回転ベゼル付時計、２…ケース本体、２Ａ…雌ねじ部（ねじ部）、４…カバーガラス（風防部材）、７…裏蓋、１０…回転ベゼル、１１…ベゼル本体、１１Ｄ…溝部、１２…表示板、１３…ガラス縁、１３Ａ…雄ねじ部（ねじ部）、１５…パッキン、１６Ａ，１６Ｂ…防水パッキン、１７…板バネ部材（バネ部材）、２４，２５，２６…凹溝部、５０…ムーブメント、１３０…筒状部、１３５…凹部。
【図１】
2015108512.tif 000003
【図２】
2015108512.tif 000004
【図３】
2015108512.tif 000005
【図４】
2015108512.tif 000006
【図５】
2015108512.tif 000007